(57)【要約】【課題】無駄な電力消費の削減を実行しようとする者に、その削減効果を強く実感させることができて、やる気と継続性をもたせることができ、無駄な電力消費の効果的な削減を実現することができるシステムを提供する。【解決手段】コンセント１と、スイッチ１４と、電力計測器１５と、表示パネル部１６と、スイッチ１４をオフにする際に電力計測器１５によって計測されている必要ない待機電力等の無駄な使用電力量を読み取る操作を行う読取り操作部１９と、タイマーと、処理制御部１９とが備えられ、スイッチ１４をオフにすることによって削減される累積料金が表示パネル部１６に表示されるようになされている。【選択図】      図１
2011147298.tif 000002
【特許請求の範囲】
【請求項１】
無駄な電力消費を行う電気機器を接続するコンセントと、
該コンセントに電力の供給を行うか、行わないかの切り換えを行う、無駄な電力消費を削減するためのオン・オフスイッチと、
該スイッチがオンの状態で前記コンセントに供給される使用電力量を計測する電力計測器と、
該電力計測器で計測された使用電力量に基づいて求められた、前記電気機器が消費した電力に関係する事項を表示する第１表示部と、
前記スイッチをオフにする際に前記電力計測器によって計測されている無駄な使用電力量を読み取る操作を行う読取り操作部と、
該読取り操作部によって読み取られた無駄な使用電力量を記憶する記憶部と、
前記スイッチをオフにした時点からの経過時間を計測するタイマーと、
前記スイッチをオフにしたことによって削減された電力量に関係する事項を表示する第２表示部と、
前記電力計測器で計測された使用電力量に基づいて、前記電気機器が消費した電力に関係する事項を求める処理を行うと共に、求められた関係事項を前記第１表示部に表示させる処理を行い、かつ、前記記憶部に記憶された無駄な使用電力量と、前記タイマーによって計測された切電時間とから、スイッチをオフにしたことよって削減された電力量に関係する事項を求める処理を行うと共に、求められた関係事項を前記第２表示部に表示させる処理を行う、処理制御部と
が備えられていることを特徴とする、待機電力等の無駄な電力消費を削減するためのシステム。
【発明の詳細な説明】
【技術分野】
【０００１】
本発明は、待機電力等の無駄な電力消費を削減するためのシステムに関する。
【背景技術】
【０００２】
例えば、電気機器の電源を消してもコンセントに接続しているだけでわずかに消費される待機電力は、リモコンで動作するテレビやビデオ、電子レンジのデジタル表示などにおいて消費される電力であり、無駄な電力消費を削減する上での対象となりうるものであり、そのため、従来より、使用しない電気機器については、プラグをコンセントから抜く習慣を身につけようにしたり、節電タップを使用することなどが行われている。
【先行技術文献】
【特許文献】
【０００３】
【特許文献１】特開２０００−１４８２６０号公報
【発明の概要】
【発明が解決しようとする課題】
【０００４】
しかしながら、いずれの方法も、実際に行うとなると大変であるなかで、実行しても無駄な電力消費の削減効果を実感しにくく、やる気が失せて継続的に行っていくというのがなかなかに難しいという問題がある。
【０００５】
本発明は、上記のような問題点に鑑み、無駄な電力消費の削減を実行しようとする者に、その削減効果を強く実感させることができて、やる気と継続性をもたせることができ、無駄な電力消費の効果的な削減を実現することができる、待機電力等の無駄な電力消費を削減するためのシステムを提供することを課題とする。
【課題を解決するための手段】
【０００６】
上記の課題は、無駄な電力消費を行う電気機器を接続するコンセントと、
該コンセントに電力の供給を行うか、行わないかの切り換えを行う、無駄な電力消費を削減するためのオン・オフスイッチと、
該スイッチがオンの状態で前記コンセントに供給される使用電力量を計測する電力計測器と、
該電力計測器で計測された使用電力量に基づいて求められた、前記電気機器が消費した電力に関係する事項を表示する第１表示部と、
前記スイッチをオフにする際に前記電力計測器によって計測されている無駄な使用電力量を読み取る操作を行う読取り操作部と、
該読取り操作部によって読み取られた無駄な使用電力量を記憶する記憶部と、
前記スイッチをオフにした時点からの経過時間を計測するタイマーと、
前記スイッチをオフにしたことによって削減された電力量に関係する事項を表示する第２表示部と、
前記電力計測器で計測された使用電力量に基づいて、前記電気機器が消費した電力に関係する事項を求める処理を行うと共に、求められた関係事項を前記第１表示部に表示させる処理を行い、かつ、前記記憶部に記憶された無駄な使用電力量と、前記タイマーによって計測された切電時間とから、スイッチをオフにしたことよって削減された電力量に関係する事項を求める処理を行うと共に、求められた関係事項を前記第２表示部に表示させる処理を行う、処理制御部と
が備えられていることを特徴とする、待機電力等の無駄な電力消費を削減するためのシステムによって解決される。
【０００７】
このシステムでは、コンセントに、無駄な電力消費を行う電気機器を接続した状態で、例えばその電気機器の電源を切り、外出や就寝に際してスイッチをオフにしようとするとき、読取り操作部に対して電力計測器によって計測されている無駄な使用電力量を読み取る操作を行うと、それが記憶部に記憶され、そのうえでスイッチをオフにすると、オフにした時点から経過時間をタイマーが計測し、処理制御部が、記憶部に記憶された無駄な使用電力量と、タイマーによって計測された切電時間とから、スイッチをオフにしたことよって削減された電力量に関係する事項を求める処理を行って、それが第２表示部に表示され、削減された電力量に関係する事項を知得することができる。この知得によって、スイッチをオフにする操作をした者、即ち、無駄な電力消費の削減を実行しようとする者に、その削減効果を強く実感させることができて、やる気と継続性をもたせることができ、無駄な電力消費の効果的な削減を実現することができる。
【０００８】
しかも、電力計測器は、スイッチがオンの状態でコンセントに供給される使用電力量を計測するもので、該電力計測器で計測された使用電力量に基づいて前記電気機器が消費した電力に関係する事項を第１表示部が表示するようになされているので、実際に消費されている電力がどの程度のものであるかを知得することができて、消費電力についての強い関心をもってもらうことができる。
【０００９】
加えて、このような消費電力についての関心と、待機電力などのような上記の無駄な電力消費の効果的な削減との両方を、電力計測器をそれぞれの目的のために併用するなどして、簡素で合理的なシステム構成により実現することができる。
【発明の効果】
【００１０】
本発明は、以上のとおりのものであるから、無駄な電力消費の削減を実行しようとする者に、その削減効果を強く実感させることができて、やる気と継続性をもたせることができ、無駄な電力消費の効果的な削減を実現することができる。
【図面の簡単な説明】
【００１１】
【図１】実施形態を示すもので、図（イ）はシステム本体装置の正面図、図（ロ）はシステム本体装置の内部構成図、図（ハ）は第１表示部における表示の態様の一例を示す説明図、図（ニ）は第２表示部における表示の態様の一例を示す説明図である。
【図２】システムの全体構成を示す説明図である。
【発明を実施するための形態】
【００１２】
次に、本発明の実施形態を図面に基づいて説明する。
【００１３】
図２に示す実施形態のシステムにおいて、１はコンセントとしての第１コンセント、２はシステム本体装置であり、第１コンセント１は、リビング３、寝室４、子供部屋５にそれぞれに設置されており、それぞれの部屋３，４，５において使用される電気機器のうち、テレビ、オーディオ機器、空気清浄機、パソコン、ゲーム機等のような、必要ない待機電力によって無駄な電力消費が行われる電気機器６…を接続するものとして用いられる。
【００１４】
なお、７は第２コンセントで、リビング３等に設置され、ビデオ、電話機等のような、待機電力等によって電力消費を行わせる必要のある電気機器８…を接続するコンセントとして用いられる。
【００１５】
９，１０は、各室３，４，５に設けられた節電用のスイッチであり、これらの節電用スイッチ９，１０のみでは、必要ない待機電力などの無駄な電力消費を削減するのは、なかなかに難しいといわれているものである。
【００１６】
システム本体装置２は、分電盤１１と第１コンセント１との間に介設され、分電盤１１からの電力線１２と、第１コンセント１からの電力線１３とが接続されており、図１（イ）（ロ）に示すように、オン・オフスイッチ１４や、電力計測器１５、第１，第２の表示部となる液晶表示装置などからなる表示パネル部１６、処理制御部１７等が備えられている。
【００１７】
オン・オフスイッチ１４は、第１コンセント１に電力の供給を行うか、行わないかの切り換えを行うもので、無駄な電力消費を削減するための入切の操作を行うものである。
【００１８】
電力計測器１５は、第１コンセント１に供給される使用電力量を計測するもので、１〜１５００ｗの範囲の使用電力量を±５％以内の精度で計測するものなどからなっている。
【００１９】
表示パネル部１６は、電力計測器１５で計測された使用電力量に基づいて、第１コンセント１に接続された電気機器６が消費した電力に関係する事項を表示することと、スイッチ１４をオフにしたことによって削減された電力量に関係する事項を表示することと、を行うもので、表示は、次のような態様で行われるようになされている。
【００２０】
即ち、図１（ハ）に示すように、スイッチ１４がオンのとき、表示パネル部１６は、第１表示部として機能し、電力計測器１５で計測された使用電力量に基づいて、第１コンセント１に接続された電気機器６が消費した電力に関係する事項、具体的には、現在使用電力量と、１ヶ月当たりの累計電気料金と、１ヶ月当たりの累計電力量とを順次に繰り返して表示していくようになされている。図１（ロ）において、１８はリレーである。
【００２１】
また、図１（ニ）に示すように、スイッチ１４がオフのとき、表示パネル部１６は、第２表示部として機能するように切り換わり、スイッチ１４をオフにしたことによって削減された電力量に関係する事項、具体的には、スイッチ１４をオフにした時点からの累計削減料金が表示されていくようになされている。
【００２２】
処理制御部１７は、電力計測器１５で計測された使用電力量に基づいて、電気機器６が消費した電力に関係する上記のような事項を求める処理を行うと共に、求められた関係事項を第１表示部として機能する表示パネル部に表示させる処理を行うようになされている。
【００２３】
のみならず、該処理制御部１７は、次のような処理も行うようになされている。即ち、その処理のために、システム本体装置２には、図１（イ）に示すように、スイッチ１４をオフにする際に電力計測器１５によって計測されている無駄な使用電力量を読み取る操作を行うボタン操作式の読取り操作部１９が備えられており、この操作部１９を押すと、現在の使用電力量が表示パネル部１６に表示され、この表示によって、削減しようとする無駄な使用電力量を知得することができるようになされていると共に、もう一度その操作部１９を押すと、その無駄な使用電力量が、図示しない記憶部に記憶されるようになされている。また、スイッチ１４をオフにした時点からの経過時間を計測する図示しないタイマーも備えられている。
【００２４】
そして、処理制御部１７は、記憶部に記憶された無駄な使用電力量と、タイマーによって計測された切電時間と、それから例えば２３円／ｋｗｈなどというような予め入力されている料金単価とから、スイッチ１４をオフにしたことよって削減された電力量に関係する事項、即ち、上記の累計削減料金を求める処理を行うと共に、求められた関係事項を表示パネル部１６に表示させる処理を行うようになされている。
【００２５】
なお、２０は長押し式のリセットスイッチ、２１は表示パネル部１６における表示の切換え用スイッチである。
【００２６】
上記のシステムでは、図２に示すように、第１コンセント１に、必要ない待機電力によって無駄な電力消費を行う電気機器６を接続した状態で、例えばその電気機器６の電源を切り、外出や就寝に際してスイッチ１４をオフにしようとするとき、読取り操作部１９に対して電力計測器１５によって計測されている無駄な使用電力量を読み取る操作を行うと、それが記憶部に記憶され、そのうえでスイッチ１４をオフにすると、オフにした時点から経過時間をタイマーが計測し、処理制御部１７が、スイッチ１４をオフにしたことよって削減された電力量に関係する事項である累計削減料金を求める処理を行って、それが表示パネル部１６に表示され、累計削減料金を知得することができる。この累計削減料金の知得によって、スイッチ１４をオフにする操作をした者、即ち、無駄な電力消費の削減を実行しようとする者に、その削減効果を強く実感させることができて、やる気と継続性をもたせることができ、無駄な電力消費の効果的な削減を実現することが可能になる。なお、システム本体装置２のスイッチ１４は外出や就寝に際して操作されるものであるので、それらの動線上に設置するようにしておくとよい。
【００２７】
しかも、電力計測器１５は、スイッチ１４がオンの状態で第１コンセント１に供給される使用電力量を計測するものであり、該電力計測器１５で計測された使用電力量に基づいて電気機器６が消費した電力に関係する事項を表示パネル部１６が第１表示部となって表示するようになされているので、実際に消費されている電力がどの程度のものであるかを知得することができて、消費電力についての強い関心をもってもらうことができる。
【００２８】
そして、このような消費電力についての関心と、必要ない待機電力のような上記の無駄な電力消費の効果的な削減との両方を、電力計測器１５をそれぞれの目的のために併用するなどとした構成を採用していることにより、簡素で合理的なシステム構成によって実現することができる。
【００２９】
以上に、本発明の実施形態を示したが、本発明はこれに限られるものではなく、発明思想を逸脱しない範囲で各種の変更が可能である。例えば、上記の実施形態では、システム本体装置２を採用し、該装置２に、オン・オフスイッチ１４や、電力計測器１５、表示パネル部１６、処理制御部１７等を組み込んでユニット化したものを採用した場合を示しているが、本発明では、スイッチ１４と処理制御部１７とを分離させた構成を採用するなど、ユニット化しない構成のシステムに構成されていてもよい。
【００３０】
また、本発明のシステムは、家庭用のほか、事務所用等、無駄な電力消費を削減するための様々な用途に用いることができるものであることはいうまでもない。
【符号の説明】
【００３１】
１…第１コンセント（コンセント）
６…必要ない待機電力によって無駄な電力消費を行う電気機器
１４…スイッチ
１５…電力計測器
１６…表示パネル部（第１，第２表示部）
１７…処理制御部
１９…読取り操作部
【図１】
2011147298.tif 000003
【図２】
2011147298.tif 000004